(57)【要約】【課題】先の出願人の特願２００５−３０４４４６号、発明の名称「懸垂引戸式ドアの開閉機構」において、床面に密着して出入口を密封した状態とするために、ドアの底辺に備えた「擦りパッキング」について、その密封機能につき課題があった。【解決手段】懸垂引戸式ドアの開閉機構において、狭長な底板２３下面長手方向に狭長板状の擦りパッキング１９を取付けたブラケット２１の正面板２２の設定長の縦長孔２４に挿通したボルト２５をドア３に固着して、該ブラケット２１を縦長孔２４のガイドで設定寸法上下移動自在に取付けると共に、その擦りパッキング１９をドア３底辺下面に位置せしめて備え、もって、ドア３の開閉移動に伴う該ドア３の上下移動とシンクロして自重等で下上移動して、常に、その擦りパッキング１９が床面２０に密着して出入口２を密封するように備えた懸垂引戸式ドアの開閉機構によって課題を解決した。【選択図】図２
2007303109.tif 000002
【特許請求の範囲】
【請求項１】
各種庫体の出入口に取付ける懸垂引戸式ドアであり、
上下前後平行板を上２枢軸と下２枢軸で枢着して、方形から平行四辺形（菱形）へ変形自在な平行四辺形ヒンジを設け、該平行四辺形ヒンジの下板をドアの上辺に固着すると共に、上板上に固着したブラケットにローラーを枢架し、該ローラーを庫体の出入口の上方位置から開扉方向に水平に設置したレールに懸架して、該ドアを平行四辺形ヒンジを介してレールに懸垂すると共にレール上のローラーの転動で開閉方向移動自在に備え、
上記レールと庫体の出入口の上辺の略中間位置にレールと平行してガイドレールを設置すると共に、該ガイドレールを出入口に相対する位置は庫体の側面から直角方向に低く、開扉位置に相対する位置は庫体の側面から直角方向に高く形成する一方、
ドアの上辺に固着したブラケットに枢架したガイドローラーがガイドレール上を密接転動するように備えてなる、懸垂引戸式ドアの開閉機構であり、
ドアを出入口の閉扉位置から開扉位置へ移動すると、ドアと一体のガイドローラーがガイドレール上の低い位置から高い位置にせり上がり転動し、該ガイドローラーのせり上り力でドアと平行四辺形ヒンジを直角方向に押し、平行四辺形ヒンジの前後板を上下枢軸を支点として設定角度平行揺動して、ドアを庫体の側面から設定寸法離隔すると共に、同せり上り力で下板と一体のドアを設定寸法上昇して、開扉状態とし、
反対に、ドアを上記開扉位置から出入口を密閉する閉扉位置へ移動すると、ガイドローラーがガイドレールの高い位置から低い位置に下降転動して、ガイドローラーと一体のドアをせり上り力から解放し、平行四辺形ヒンジの前後板が復元揺動して、ドアは自重で庫体の側面方向へ移動すると共に、下板と一体のドアを設定寸法復元下降し、よって、ドアの内側周側辺のパッキングが庫体の出入口の周側辺に密着して、出入口を密封閉扉した状態とするように備えたことを特徴とする、懸垂引戸式ドアの開閉機構において、
ドア底辺と略等長で狭幅な正面板と底板からなる横断面Ｌ形類似材の底板下面長手方向に、１枚以上の狭長板状の柔軟な擦りパッキングを着脱交換自在に取付けた擦りパッキング用のブラケットを設け、
該ブラケットの正面板の左右側端付近に設定長の縦長孔をあけ、該縦長孔に挿通したボルトをドア正面側底辺に沿って固着して、ブラケットを縦長孔のガイドで設定寸法上下移動自在に取付けると共に、その擦りパッキングをドア底辺下面に位置せしめて備えたものであり、
ドアを出入口の閉扉位置から開扉位置へ移動するに伴い、平行四辺形ヒンジが設定角度平行揺動して、ドアを設定寸法上昇すると、上記ブラケットが、ドアの設定寸法上昇とシンクロして同寸法下降移動し、
反対に、ドアを出入口の開扉位置から閉扉位置へ移動するに伴い、平行四辺形ヒンジが設定角度平行揺動して、ドアを設定寸法下降すると、上記ブラケットが、ドアの設定寸法下降とシンクロして同寸法上昇移動するように備えたものであって、
もって、ブラケットがドアの開閉移動に伴う該ドアの上下移動とシンクロして下上移動して、常に、その擦りパッキングが床面に密着して、出入口を密封した状態とするように備えたことを特徴とする、
懸垂引戸式ドアの開閉機構。
【請求項２】
擦りパッキング用のブラケットを、ドア底辺と略等長で狭幅な正面板と底板からなる横断面Ｌ形類似材の底板下面長手方向に、２枚の狭長板状の柔軟な擦りパッキングを、前後平行して着脱交換自在に取付けて設けたものである、
請求項１の懸垂引戸式ドアの開閉機構。
【発明の詳細な説明】
【技術分野】
【０００１】
本発明は、プレハブ式その他各種の冷凍・冷蔵庫、冷凍・冷蔵倉庫、クリーンルーム等の出入口に使用する懸垂引戸式ドア（スライディングドア）の開閉機構において、
ドアの底辺に備え、ドアの開閉移動に伴う該ドアの上下移動とシンクロして下上移動して、常に、その擦りパッキングが床面に密着して出入口を密封した状態とする、擦りパッキング用のブラケットを備えたことを特徴とする、懸垂引戸式ドアの開閉機構関するものである。
【背景技術】
【０００２】
現在、プレハブ式その他各種の冷凍・冷蔵庫、冷凍・冷蔵倉庫、クリーンルーム等の庫体の出入口に懸垂引戸式ドア（スライディングドア）が広く使用されている。
該懸垂引戸式ドアはドアの上辺に枢架したローラーを、庫体側に水平設置したレールに乗せてドアを開閉移動自在に懸垂したものであるため、通常の移動位置では、重量が大で大形のドアでも小さな力で容易に開閉移動できる特徴がある。
【０００３】
ところが、開き戸式でなく、懸垂式かつ引戸（スライド）式であり、閉扉時に庫体の出入口を密封閉塞するために、ドアの内側周側辺のパッキングを庫体の出入口の周側辺に密着すると共にドア底辺の擦りパッキングを床面に密着するように設けてあり、そのため、開扉時に、ドアをそのまま開扉方向へ移動せんとしても、特に重量が大で大形のドアの場合、庫体の側面・床面と各パッキングの摩擦で容易に移動することが困難であるため、開扉時にドアを庫体の側面から引き離すと同時に僅かにドアの底辺を床面から引上げるようにしながら移動するように備える必要があり、この点が課題とされてきたものである。
【０００４】
そこで、出願人は、先に、特願２００５−３０４４４６号、発明の名称「懸垂引戸式ドアの開閉機構」をもって、上記従来の課題を解決した。
【特許文献１】特開平５−０５２０７２号公報
【特許文献２】特開平７−２２４５７０号公報
【特許文献３】特願２００５−３０４４４６号出願書類
【発明の開示】
【発明が解決しようとする課題】
【０００５】
然るところ、上記出願にかかる「懸垂引戸式ドアの開閉機構」において、床面に密着して出入口を密封した状態とするために、ドアの底辺に備えた「擦りパッキング」について、その密封機能につき課題が有った。
【課題を解決するための手段】
【０００６】
本発明は上記の課題を下記の本発明機構によって有効に解決したものである。
即ち、本発明は、各種庫体の出入口に取付ける懸垂引戸式ドアにおいて、
上下前後平行板を上２枢軸と下２枢軸で枢着して、方形から平行四辺形（菱形）へ変形自在な平行四辺形ヒンジを設け、該平行四辺形ヒンジの下板をドアの上辺に固着すると共に、上板上に固着したブラケットにローラーを枢架し、該ローラーを庫体の出入口の上方位置から開扉方向に水平に設置したレールに懸架して、該ドアを平行四辺形ヒンジを介してレールに懸垂すると共にレール上のローラーの転動で開閉方向移動自在に備え、
【０００７】
上記レールと庫体の出入口の上辺の略中間位置にレールと平行してガイドレールを設置すると共に、該ガイドレールを出入口に相対する位置は庫体の側面から直角方向に低く、開扉位置に相対する位置は庫体の側面から直角方向に高く形成する一方、
ドアの上辺に固着したブラケットに枢架したガイドローラーがガイドレール上を密接転動するように備えてなる、懸垂引戸式ドアの開閉機構であり、
【０００８】
ドアを出入口の閉扉位置から開扉位置へ移動すると、ドアと一体のガイドローラーがガイドレール上の低い位置から高い位置にせり上がり転動し、該ガイドローラーのせり上り力でドアと平行四辺形ヒンジを直角方向に押し、平行四辺形ヒンジの前後板を上下枢軸を支点として設定角度平行揺動して、ドアを庫体の側面から設定寸法離隔すると共に、同せり上り力で下板と一体のドアを設定寸法上昇して、開扉状態とし、
【０００９】
反対に、ドアを上記開扉位置から出入口を密閉する閉扉位置へ移動すると、ガイドローラーがガイドレールの高い位置から低い位置に下降転動して、ガイドローラーと一体のドアをせり上り力から解放し、平行四辺形ヒンジの前後板が復元揺動して、ドアは自重で庫体の側面方向へ移動すると共に、下板と一体のドアを設定寸法復元下降し、よって、ドアの内側周側辺のパッキングが庫体の出入口の周側辺に密着して、出入口を密封閉扉した状態とするように備えたことを特徴とする、懸垂引戸式ドアの開閉機構において、
【００１０】
ドア底辺と略等長で狭幅な正面板と底板からなる横断面Ｌ形類似材の底板下面長手方向に、１枚以上の狭長板状の柔軟な擦りパッキングを着脱交換自在に取付けた擦りパッキング用のブラケットを設け、
【００１１】
該ブラケットの正面板の左右側端付近に設定長の縦長孔をあけ、該縦長孔に挿通したボルトをドア正面側底辺に沿って固着して、ブラケットを縦長孔のガイドで設定寸法上下移動自在に取付けると共に、その擦りパッキングをドア底辺下面に位置せしめて備えたものであり、
【００１２】
ドアを出入口の閉扉位置から開扉位置へ移動するに伴い、平行四辺形ヒンジが設定角度平行揺動して、ドアを設定寸法上昇すると、上記ブラケットが、ドアの設定寸法上昇とシンクロして同寸法下降移動し、
【００１３】
反対に、ドアを出入口の開扉位置から閉扉位置へ移動するに伴い、平行四辺形ヒンジが設定角度平行揺動して、ドアを設定寸法下降すると、上記ブラケットが、ドアの設定寸法下降とシンクロして同寸法上昇移動するように備えたものであって、
【００１４】
もって、ブラケットがドアの開閉移動に伴う該ドアの上下移動とシンクロして下上移動して、常に、その擦りパッキングが床面に密着して、出入口を密封した状態とするように備えたことを特徴とする、懸垂引戸式ドアの開閉機構によって、課題を解決したものである。
【発明の効果】
【００１５】
本発明擦りパッキング用のブラケットは、懸垂引戸式ドアの開閉移動に伴う該ドアの上下移動とシンクロして下上移動して、常にその擦りパッキングが床面に密着することが可能となり、よって、常時、出入口を極めて有効に密封した状態とすることが出来る優れた効果がある。
【発明を実施するための最良の形態】
【００１６】
懸垂引戸式ドアの開閉機構において、ドア底辺と略等長で狭幅な正面板と底板からなる横断面Ｌ形類似材の底板下面長手方向に、２枚の狭長板状の柔軟な擦りパッキングを、前後平行して着脱交換自在に取付けた擦りパッキング用のブラケットを設け、
【００１７】
該ブラケットの正面板の左右側端付近に設定長の縦長孔をあけ、該縦長孔に挿通したボルトをドア正面側底辺に沿って固着して、ブラケットを縦長孔のガイドで設定寸法上下移動自在に取付けると共に、その擦りパッキングをドア底辺下面に位置せしめて備えた、懸垂引戸式ドアの開閉機構。
【実施例】
【００１８】
図１は本発明を実施した庫体及びドアの構成概略を示す正面図、図２は図１を右側面から見た（イ）は開扉状態、（ロ）は閉扉状態の図、図３は図１を平面から見た開扉と閉扉の作用説明図、図４は平行四辺形ヒンジの正面図、図５は図４の側面図、図６は図１の両平行四辺形ヒンジを連結板で連結固定した状態を示す一部正面図、図７は図６を右側面から見た（イ）は開扉状態、（ロ）は閉扉状態の図である。
【００１９】
図面において、Ａは平行四辺形ヒンジ、１は庫体、２は出入口、３はドア、４は下板、５は上板、６はブラケット、７はローラー、８はレール、９はガイドレール、１０は庫体の側面、１１はブラケット、１２はガイドローラー、１３は前板、１４は後板、１５は連結板、１６、１７は枢軸、１８はパッキング、１９は擦りパッキング、２０は床面、２１はブラケット、２２はその正面板、２３は底板、２４は縦長孔、２５はボルト、２６はＬ形ガイドプレートである。
【００２０】
次に、実施例を図面につき説明すると、ドア３の上辺の左右端部付近に平行四辺形ヒンジＡをその各下板４をドア３の上辺に固着して設置し、その各上板５上に固着したブラケット６にローラー７を枢架し、各ローラー７を庫体１の出入口２の上方位置から開扉方向に水平に設置したレール８に懸架すると共に該ドア３を両平行四辺形ヒンジＡを介してレール８に懸垂して、レール８上のローラー７の転動で開閉方向移動自在に備え、
【００２１】
上記レール８と庫体１の出入口２の上辺の略中間位置にレール８と平行してガイドレール９を設置すると共に、該ガイドレール９を出入口２に相対する位置は庫体１の側面１０から直角方向に低く、開扉位置に相対する位置は庫体１の側面１０から直角方向に高く形成する一方、ドア３の上辺の両平行四辺形ヒンジＡの中間位置に固着したブラケット１１にガイドローラー１２をガイドレール９上を密接転動するように枢架して備え、
【００２２】
また、両平行四辺形ヒンジＡ、Ａの各前板１３、１３と各上板５、５を連結板１４、１５で連結固定して備えて構成した懸垂引戸式ドアの開閉機構であり、
【００２３】
ドア３を出入口２の閉扉位置から開扉位置へ移動すると、ドア３と一体のガイドローラー１２がガイドレール９上の低い位置から高い位置にせり上がり転動し、該ガイドローラー１２のせり上り力で平行四辺形ヒンジＡの前後板１３、１４を上の枢軸１６、１６と下の枢軸１７、１７を支点として設定角度平行揺動して、ドア３を直角方向に押して庫体１の側面１０から設定寸法離隔すると共に、下板４と一体のドア３を設定寸法上昇して、開扉状態とし、
【００２４】
反対に、ドア３を上記開扉位置から出入口２を密閉する閉扉位置へ移動すると、ガイドローラー１２がガイドレール９の高い位置から低い位置に下降転動して、ガイドローラー１２と一体のドア３をせり上り力から解放し、平行四辺形ヒンジＡの前後板１３、１４が復元揺動して、ドア３は自重で庫体の側面１０方向へ移動すると共に、下板４と一体のドア３を設定寸法復元下降し、よって、ドア３の内側周側辺のパッキング１８が庫体１の出入口２の周側辺に密着して、出入口２を密封閉扉した状態とするものであり、
【００２５】
更に、ドア３の上辺の左右端部付近に平行四辺形ヒンジＡ、Ａを設置すると共に、両平行四辺形ヒンジＡ、Ａの各前板１３、１３と各上板５、５をそれぞれ連結板１５、１５で連結固定して備えることによって、
ドア３を開・閉移動して、ガイドローラー１２がガイドレール９上の高・低位置をせり上がり・下降転動して、ドア３を庫体１の側面１０から直角方向に離隔・接近移動するときに、両平行四辺形ヒンジＡ、Ａの前後板１３、１３、１４、１４を、同時に、平行揺動・復元することができ、よって、ドア３の左右側辺が捻れること無しに、ドア３が庫体１の側面１０に対し常に平行に開・閉移動するように備えたものであって、
【００２６】
上記の懸垂引戸式ドアの開閉機構において、
ドア３底辺と略等長で狭幅な正面板２２と底板２３からなる横断面Ｌ形類似材の底板下面長手方向に、２枚の狭長板状の柔軟な擦りパッキング１９を前後平行して着脱交換自在に取付けた擦りパッキング１９用のブラケット２１を設け、
【００２７】
該ブラケット２１の正面板２２の左右側端付近に設定長の縦長孔２４をあけ、該縦長孔２４に挿通したボルト２５をドア３正面側底辺に沿って固着して、ブラケット２１を縦長孔２４のガイドで設定寸法上下移動自在に取付けると共に、その擦りパッキング１９をドア３底辺下面に位置せしめて備えたものであり、
【００２８】
ドア３を出入口２の閉扉位置から開扉位置へ移動するに伴い、平行四辺形ヒンジＡが設定角度平行揺動して、ドア３を設定寸法上昇すると、上記ブラケット２１が、ドア３の設定寸法上昇とシンクロして自重（若しくはバネの弾力等）で同寸法下降移動し、
【００２９】
反対に、ドア３を出入口２の開扉位置から閉扉位置へ移動するに伴い、平行四辺形ヒンジＡが設定角度平行揺動して、ドア３を設定寸法下降すると、上記ブラケット２１が、ドア３の設定寸法下降とシンクロして自重（若しくはバネの弾力等）で同寸法上昇移動するように備えたものであって、
【００３０】
もって、ブラケット２１がドア３の開閉上下移動とシンクロして自重（若しくはバネの弾力等）で下上移動して、常に、その擦りパッキング１９が床面２０に密着して、出入口２を密封した状態とするように備えた、懸垂引戸式ドアの開閉機構である。
符号２６は、ブラケット２１及び擦りパッキング１９の上下移動をガイドするＬ形ガイドプレートである。
【産業上の利用可能性】
【００３１】
プレハブ式その他各種の冷凍・冷蔵庫、冷凍・冷蔵倉庫、クリーンルーム等の出入口に広く使用されている懸垂引戸式ドア（スライディングドア）において、特に大形で重量が大なドアから小形軽量なドアに至るまで、あらゆる懸垂引戸式ドア用の開閉機構の擦りパッキング用のブラケットとして汎用し得る。
【図面の簡単な説明】
【００３２】
【図１】本発明を実施した庫体及びドアの構成概略を示す正面図。
【図２】図１を右側面から見た（イ）は開扉状態、（ロ）は閉扉状態の図。
【図３】図１を平面から見た開扉と閉扉の作用説明図。
【図４】平行四辺形ヒンジの正面図。
【図５】図４の側面図。
【図６】図１の両平行四辺形ヒンジを連結板で連結固定した状態を示す一部正面図。
【図７】図６を右側面から見た（イ）は開扉状態、（ロ）は閉扉状態の図。
【符号の説明】
【００３３】
Ａ    平行四辺形ヒンジ
１    庫体
２    出入口
３    ドア
４    下板
５    上板
６    ブラケット
７    ローラー
８    レール
９    ガイドレール
１０  庫体の側面
１１  ブラケット
１２  ガイドローラー
１３  前板
１４  後板
１５  連結板
１６  枢軸
１７  枢軸
１８  パッキング
１９  擦りパッキング
２０  床面
２１  ブラケット
２２  正面板
２３  底板
２４  縦長孔
２５  ボルト
２６  Ｌ形ガイドプレート
【図１】
2007303109.tif 000003
【図２】
2007303109.tif 000004
【図３】
2007303109.tif 000005
【図４】
2007303109.tif 000006
【図５】
2007303109.tif 000007
【図６】
2007303109.tif 000008
【図７】
2007303109.tif 000009